(57)【特許請求の範囲】
【請求項１】
壁面装飾用の複数の原画を記憶する原画記憶手段と、
前記原画記憶手段に記憶されている原画を、レンチキュラーレンズを通して見ると前記複数の原画の各一部の画像が切り替わって見える画像に加工する画像処理手段と、
前記画像処理手段により加工された画像を建築壁材に印刷する印刷手段と、
を備え、
前記画像処理手段は、
前記建築壁材のサイズ及び／又は形状と印刷対象の建築壁材の枚数又は壁画のサイズを入力する壁材情報入力手段と、
前記壁材情報入力手段が入力した前記建築壁材の形状及びサイズと、前記建築壁材の枚数又は壁画のサイズと、前記原画の解像度及び縦横比とに基づいて、画像の分割位置を算出する分割位置算出手段と、
前記分割位置算出手段が算出した位置で画像を分割する画像分割手段と、
印刷を行う前記分割位置を入力する印刷位置入力手段と、
を備え、
前記印刷手段は、前記画像分割手段で分割された各画像の位置を示す符号を、印刷対象の画像に含ませる手段を備える、ことを特徴とする壁材用画像印刷システム。
【請求項２】
壁面装飾用の複数の原画を記憶する原画記憶手段と、
前記原画記憶手段に記憶されている原画を、レンチキュラーレンズを通して見ると前記複数の原画の各一部の画像が切り替わって見える画像に加工する画像処理手段と、
前記画像処理手段により加工された画像を建築壁材に印刷する印刷手段と、
を備え、
前記画像処理手段は、
前記建築壁材のサイズ及び／又は形状と印刷対象の建築壁材の枚数又は壁画のサイズを入力する壁材情報入力手段と、
前記壁材情報入力手段が入力した前記建築壁材の形状及びサイズと、前記建築壁材の枚数又は壁画のサイズと、前記原画の解像度及び縦横比とに基づいて、画像の分割位置を算出する分割位置算出手段と、
前記分割位置算出手段が算出した位置で画像を分割する画像分割手段と、
印刷を行う前記分割位置を入力する印刷位置入力手段と、
を備え、
印刷対象となった前記複数の原画の識別情報と、壁材のサイズと、壁材の枚数または壁画のサイズとからなる印刷情報に識別コードを付して前記印刷情報を記録する印刷情報記録手段と、
前記識別コードを印刷対象の画像に含ませる手段と、
をさらに備えることを特徴とする壁材用画像印刷システム。
【請求項３】
壁面装飾用の複数の原画を記憶する原画記憶手段と、
前記原画記憶手段に記憶されている原画を、レンチキュラーレンズを通して見ると前記複数の原画の各一部の画像が切り替わって見える画像に加工する画像処理手段と、
前記画像処理手段により加工された画像を建築壁材に印刷する印刷手段と、
を備え、
前記画像処理手段は、
前記建築壁材のサイズ及び／又は形状と印刷対象の建築壁材の枚数又は壁画のサイズを入力する壁材情報入力手段と、
前記壁材情報入力手段が入力した前記建築壁材の形状及びサイズと、前記建築壁材の枚数又は壁画のサイズと、前記原画の解像度及び縦横比とに基づいて、画像の分割位置を算出する分割位置算出手段と、
前記分割位置算出手段が算出した位置で画像を分割する画像分割手段と、
印刷を行う前記分割位置を入力する印刷位置入力手段と、
を備え、
前記壁材情報入力手段は、前記画像処理手段が加工した画像を印刷する壁面を形成する前記建築壁材の形状及び大きさと、横方向又は縦方向のうちの一方の該建築壁材の枚数と、を入力し、
前記分割位置算出手段は、前記壁材情報入力手段が入力した情報に基づいて、印刷対象の壁面の横方向又は縦方向のうちの他方の該建築壁材の枚数と、前記画像の分割位置を算出する手段を備える、
ことを特徴とする壁材用画像印刷システム。
【請求項４】
表面に画像が印刷され、且つその上にレンチキュラーレンズが配置された複数の壁材が組み合わされて形成される壁面を装飾する方法であって、
複数の原画を原画記憶手段に記憶させ、
前記原画記憶手段に記憶されている前記原画を、前記レンチキュラーレンズを通して見ると前記複数の原画の各一部の画像が切り替わって見える画像となるように、
前記建築壁材のサイズ及び／又は形状と印刷対象の建築壁材の枚数又は壁画のサイズを入力し、
入力した前記建築壁材の形状及びサイズと、前記建築壁材の枚数又は壁画のサイズと、前記原画の解像度及び縦横比とに基づいて、画像の分割位置を算出し、
前記分割位置算出手段が算出した位置で画像を分割し、
分割された各画像に、前記各画像の位置を示す符号を含ませ、
各壁材に、前記複数の壁材に表示される画像が組み合わされて１つの有意な画像を形成する部分画像を配置する、ことを特徴とする壁面装飾方法。
【請求項５】
表面に画像が印刷され、且つその上にレンチキュラーレンズが配置された複数の壁材が組み合わされて形成される壁面を装飾する方法であって、
複数の原画を原画記憶手段に記憶させ、
前記原画記憶手段に記憶されている前記原画を、前記レンチキュラーレンズを通して見ると前記複数の原画の各一部の画像が切り替わって見える画像となるように、
前記建築壁材のサイズ及び／又は形状と印刷対象の建築壁材の枚数又は壁画のサイズを入力し、
入力した前記建築壁材の形状及びサイズと、前記建築壁材の枚数又は壁画のサイズと、前記原画の解像度及び縦横比とに基づいて、画像の分割位置を算出し、
前記分割位置算出手段が算出した位置で画像を分割し、
印刷対象となった前記複数の原画の識別情報と、壁材のサイズと、壁材の枚数または壁画のサイズとからなる印刷情報に識別コードを付して前記印刷情報を記録し、
前記識別コードを印刷対象の前記画像に含ませ、
各壁材に、前記複数の壁材に表示される画像が組み合わされて１つの有意な画像を形成する部分画像を配置する、ことを特徴とする壁面装飾方法。
【請求項６】
表面に画像が印刷され、且つその上にレンチキュラーレンズが配置された複数の壁材が組み合わされて形成される壁面を装飾する方法であって、
複数の原画を原画記憶手段に記憶させ、
前記原画記憶手段に記憶されている前記原画を、前記レンチキュラーレンズを通して見ると前記複数の原画の各一部の画像が切り替わって見える画像となるように、
前記建築壁材のサイズ及び／又は形状と印刷対象の建築壁材の枚数又は壁画のサイズを入力し、
入力した前記建築壁材の形状及びサイズと、前記建築壁材の枚数又は壁画のサイズと、前記原画の解像度及び縦横比とに基づいて、画像の分割位置を算出し、
前記分割位置算出手段が算出した位置で画像を分割し、
前記画像処理手段が加工した画像を印刷する壁面を形成する前記建築壁材の形状及び大きさと、横方向又は縦方向のうちの一方の該建築壁材の枚数と、を入力し、
入力した情報に基づいて、印刷対象の壁面の横方向又は縦方向のうちの他方の該建築壁材の枚数と、前記画像の分割位置を算出し、
各壁材に、前記複数の壁材に表示される画像が組み合わされて１つの有意な画像を形成する部分画像を配置する、ことを特徴とする壁面装飾方法。
【請求項７】
コンピュータを、
壁面装飾用の複数の原画を記憶する原画記憶手段、
印刷対象となった前記複数の原画の識別情報と、壁材のサイズと、壁材の枚数または壁画のサイズとからなる印刷情報に識別コードを付して前記印刷情報を記録する印刷情報記録手段と、前記識別コードを印刷対象の画像に含ませる手段と、を含み、前記原画記憶手段に記憶されている原画を、レンチキュラーレンズを通してみると前記複数の原画の各一部の画像が切り替わって見える画像と加工する画像処理手段、
前記画像処理手段により加工され、前記識別コードを含んだ画像を建築壁材に印刷するために出力する出力手段、
として機能させるためのプログラムを記録したコンピュータにより読取可能な記録媒体。
【請求項８】
コンピュータを、
壁面装飾用の複数の原画を記憶する原画記憶手段、
前記建築壁材のサイズ及び／又は形状と印刷対象の建築壁材の枚数又は壁画のサイズを入力する壁材情報入力手段と、前記壁材情報入力手段が入力した前記建築壁材の形状及びサイズと前記建築壁材の枚数又は壁画のサイズと前記原画の解像度及び縦横比とに基づいて、画像の分割位置を算出する分割位置算出手段と、前記分割位置算出手段が算出した位置で画像を分割する画像分割手段と、印刷を行う前記分割位置を入力する印刷位置入力手段と、を含み、前記原画記憶手段に記憶されている原画を、レンチキュラーレンズを通して見ると前記複数の原画の各一部の画像が切り替わって見える画像に加工する画像処理手段、
前記画像処理手段が加工した画像を印刷する壁面を形成する前記建築壁材の形状及び大きさと、並びに横方向又は縦方向のうちの一方の該建築壁材の枚数と、前記壁材情報入力手段が入力した情報に基づいて、印刷対象の壁面の横方向又は縦方向のうちの他方の該建築壁材の枚数と、前記画像の分割位置を算出する手段、
前記画像処理手段により加工された画像を建築壁材に印刷するために出力する出力手段、
として機能させるためのプログラムを記録したコンピュータにより読取可能な記録媒体。
【発明の詳細な説明】
【０００１】
【発明の属する技術分野】
本発明は、レンチキュラーレンズを通して見ると、画像が切り替わって見える画像が印刷された壁材を作成することができる壁材用画像印刷システム、壁面装飾方法及び記録媒体に関する。
【０００２】
【従来の技術】
タイルが壁又は床などに張られる建築壁材として用いられている。タイルの表面には、一般に色彩又は画像が形成されている。
【０００３】
彩色描画が施されたタイルを作成する方法としては、液体顔料をタイル材の表面に噴出描画してから焼成し、その後、形成されたタイルの表面を研磨して仕上げるものがある。
また、タイルの表面に鮮明で精密な画像を形成する方法としては、特開平７-１２５５００号公報又は特開平７-３３０４７３号公報に記載されているものがある。
【０００４】
【発明が解決しようとする課題】
しかし、従来のタイル作成方法では、平面的な静止画をタイル表面に形成できるにすぎず、面白味に欠けるという問題があった。
【０００５】
また、タイルに動画を表現できれば、より楽しく趣味性の高いタイル壁等が得られる。しかし、従来では、動画を表示するためにタイルとは別に複雑で高価な表示装置を壁面に組み込む必要があり、壁全体の価格が上昇すると共に表示装置の設置スペースが必要となってしまう。
【０００６】
また、従来、タイル壁等における一部のタイルが破損した場合に、破損したタイルのみを精密に再生産するには多大な手間及び費用が必要になってしまうという問題もあった。
【０００７】
この発明は、上記実状に鑑みてなされたもので、面白味のあるタイル等の建築壁材（床材、天井材等を含む）を作成することができる壁材用画像印刷システム、壁面装飾方法及び記録媒体を提供することを目的とする。
【０００８】
また、この発明は、タイル壁等の建築壁における一部の建築壁材（タイル等）が破損等した場合に、その一部の建築壁材を容易に再生産することができる壁材用画像印刷システム、壁面装飾方法及び記録媒体を提供することを目的とする。
【０００９】
【課題を解決するための手段】
上記目的を達成するため、この発明の第１の観点に係る壁材用画像印刷システムは、
壁面装飾用の複数の原画を記憶する原画記憶手段と、
前記原画記憶手段に記憶されている原画を、レンチキュラーレンズを通して見ると前記複数の原画の各一部の画像が切り替わって見える画像に加工する画像処理手段と、
前記画像処理手段により加工された画像を建築壁材に印刷する印刷手段と、
を備え、
前記画像処理手段は、
前記建築壁材のサイズ及び／又は形状と印刷対象の建築壁材の枚数又は壁画のサイズを入力する壁材情報入力手段と、
前記壁材情報入力手段が入力した前記建築壁材の形状及びサイズと、前記建築壁材の枚数又は壁画のサイズと、前記原画の解像度及び縦横比とに基づいて、画像の分割位置を算出する分割位置算出手段と、
前記分割位置算出手段が算出した位置で画像を分割する画像分割手段と、
印刷を行う前記分割位置を入力する印刷位置入力手段と、
を備え、
前記印刷手段は、前記画像分割手段で分割された各画像の位置を示す符号を、印刷対象の画像に含ませる手段を備えることを特徴とする。
【００１０】
なお、前記印刷手段は、分割された画像が各壁材の全面に印刷されるよう、壁材のサイズに応じて、誤差拡散法等の手法により画像を拡大縮小する。
【００１１】
このような構成によれば、複数の位置から前記レンチキュラーレンズを通して、切替って或いは動いて見える画像が形成された建築壁材を作成することができる壁材用画像印刷システムを提供することができる。また、この構成により、画像を分割し、任意の分割画像のみを印刷すること等を容易に行うことができる。また、レンチキュラーレンズを通して見る画像は、通常、そのままでは認識することができない。このため、画像が印刷された建築壁材が壁のどの位置に配置されるべきものであるか等をすぐには認識できない。そこで、このように、各画像の位置を示す符号を付すと、その位置を容易に認識することができる。この符号は通常の文字・数字、バーコード、二次元コード等でもよく、また、レンチキュラーレンズを介して特定の角度から見た場合のみ認識できるような画像でもよい。このような構成とすることにより、タイル等の建築壁材が破損した場合に、破損した壁材の再生産に即座に対応できる。
なお、原画は予め記憶されていてもよく、或いは、必要に応じて入力されてもよい。
【００１４】
また、本発明の第２の観点に係る壁材用画像印刷システムは、
壁面装飾用の複数の原画を記憶する原画記憶手段と、
前記原画記憶手段に記憶されている原画を、レンチキュラーレンズを通して見ると前記複数の原画の各一部の画像が切り替わって見える画像に加工する画像処理手段と、
前記画像処理手段により加工された画像を建築壁材に印刷する印刷手段と、
を備え、
前記画像処理手段は、
前記建築壁材のサイズ及び／又は形状と印刷対象の建築壁材の枚数又は壁画のサイズを入力する壁材情報入力手段と、
前記壁材情報入力手段が入力した前記建築壁材の形状及びサイズと、前記建築壁材の枚数又は壁画のサイズと、前記原画の解像度及び縦横比とに基づいて、画像の分割位置を算出する分割位置算出手段と、
前記分割位置算出手段が算出した位置で画像を分割する画像分割手段と、
印刷を行う前記分割位置を入力する印刷位置入力手段と、
を備え、
印刷対象となった前記複数の原画の識別情報と、壁材のサイズと、壁材の枚数または壁画のサイズとからなる印刷情報に識別コードを付して前記印刷情報を記録する印刷情報記録手段と、
前記識別コードを印刷対象の画像に含ませる手段と、
をさらに備えることを特徴とする。
【００１５】
印刷情報と識別コードを対応付けてデータベース等の印刷情報記録手段に記録し、識別コードを建築壁材に印刷しておくことにより、例えば、破損した建築壁材から識別コードを読み取り、この識別コードで印刷情報を検索することにより、原画や印刷条件を判別し、その建築壁材を容易に再生産することができる。識別コードは、通常の文字・数字、バーコード、二次元コード等でもよく、また、レンチキュラーレンズを介して特定の角度から見た場合のみ認識できるような画像でもよい。
【００１６】
また、本発明の第３の観点に係る壁材用画像印刷システムは、
壁面装飾用の複数の原画を記憶する原画記憶手段と、
前記原画記憶手段に記憶されている原画を、レンチキュラーレンズを通して見ると前記複数の原画の各一部の画像が切り替わって見える画像に加工する画像処理手段と、
前記画像処理手段により加工された画像を建築壁材に印刷する印刷手段と、
を備え、
前記画像処理手段は、
前記建築壁材のサイズ及び／又は形状と印刷対象の建築壁材の枚数又は壁画のサイズを入力する壁材情報入力手段と、
前記壁材情報入力手段が入力した前記建築壁材の形状及びサイズと、前記建築壁材の枚数又は壁画のサイズと、前記原画の解像度及び縦横比とに基づいて、画像の分割位置を算出する分割位置算出手段と、
前記分割位置算出手段が算出した位置で画像を分割する画像分割手段と、
印刷を行う前記分割位置を入力する印刷位置入力手段と、
を備え、
前記壁材情報入力手段は、前記画像処理手段が加工した画像を印刷する壁面を形成する前記建築壁材の形状及び大きさと、横方向又は縦方向のうちの一方の該建築壁材の枚数と、を入力し、前記分割位置算出手段は、前記壁材情報入力手段が入力した情報に基づいて、印刷対象の壁面の横方向又は縦方向のうちの他方の該建築壁材の枚数と、前記画像の分割位置を算出する手段を備えることを特徴とする。
この構成によれば、容易に画像を分割することができる。
【００１７】
なお、壁画全体を合成した後で、各壁材に対応する部分を切り出して各建築壁材に印刷してもよく、或いは、複数の原画のうちから、対象となる壁材に対応する部分を切り出して、これをレンチキュラーレンズ用に合成し、これを印刷してもよい。即ち、各壁材に印刷する画像を合成する手順は任意である。
【００１８】
この発明の第４の観点にかかる壁面装飾方法は、
表面に画像が印刷され、且つその上にレンチキュラーレンズが配置された複数の壁材が組み合わされて形成される壁面を装飾する方法であって、
複数の原画を原画記憶手段に記憶させ、
前記原画記憶手段に記憶されている前記原画を、前記レンチキュラーレンズを通して見ると前記複数の原画の各一部の画像が切り替わって見える画像となるように、
前記建築壁材のサイズ及び／又は形状と印刷対象の建築壁材の枚数又は壁画のサイズを入力し、
入力した前記建築壁材の形状及びサイズと、前記建築壁材の枚数又は壁画のサイズと、前記原画の解像度及び縦横比とに基づいて、画像の分割位置を算出し、
前記分割位置算出手段が算出した位置で画像を分割し、
分割された各画像に、前記各画像の位置を示す符号を含ませ、
各壁材に、前記複数の壁材に表示される画像が組み合わされて１つの有意な画像を形成する部分画像を配置する、ことを特徴とする。
この方法によれば、複数の位置から前記レンチキュラーレンズを通して見ると動いて見える画像が形成された建築壁材を作成することができる。また、この構成により、画像を分割し、任意の分割画像のみを印刷すること等を容易に行うことができる。また、レンチキュラーレンズを通して見る画像は、通常、そのままでは認識することができない。このため、画像が印刷された建築壁材が壁のどの位置に配置されるべきものであるか等をすぐには認識できない。そこで、このように、各画像の位置を示す符号を付すと、その位置を容易に認識することができる。この符号は通常の文字・数字、バーコード、二次元コード等でもよく、また、レンチキュラーレンズを介して特定の角度から見た場合のみ認識できるような画像でもよい。このような構成とすることにより、タイル等の建築壁材が破損した場合に、破損した壁材の再生産に即座に対応できる。
また、本発明の第５の観点に係る壁面装飾方法は、
表面に画像が印刷され、且つその上にレンチキュラーレンズが配置された複数の壁材が組み合わされて形成される壁面を装飾する方法であって、
複数の原画を原画記憶手段に記憶させ、
前記原画記憶手段に記憶されている前記原画を、前記レンチキュラーレンズを通して見ると前記複数の原画の各一部の画像が切り替わって見える画像となるように、
前記建築壁材のサイズ及び／又は形状と印刷対象の建築壁材の枚数又は壁画のサイズを入力し、
入力した前記建築壁材の形状及びサイズと、前記建築壁材の枚数又は壁画のサイズと、前記原画の解像度及び縦横比とに基づいて、画像の分割位置を算出し、
前記分割位置算出手段が算出した位置で画像を分割し、
印刷対象となった前記複数の原画の識別情報と、壁材のサイズと、壁材の枚数または壁画のサイズとからなる印刷情報に識別コードを付して前記印刷情報を記録し、
前記識別コードを印刷対象の前記画像に含ませ、
各壁材に、前記複数の壁材に表示される画像が組み合わされて１つの有意な画像を形成する部分画像を配置する、ことを特徴とする。
印刷情報と識別コードを対応付けてデータベース等の印刷情報記録手段に記録し、識別コードを建築壁材に印刷しておくことにより、例えば、破損した建築壁材から識別コードを読み取り、この識別コードで印刷情報を検索することにより、原画や印刷条件を判別し、その建築壁材を容易に再生産することができる。識別コードは、通常の文字・数字、バーコード、二次元コード等でもよく、また、レンチキュラーレンズを介して特定の角度から見た場合のみ認識できるような画像でもよい。
また、本発明の第６の観点に係る壁面装飾方法は、
表面に画像が印刷され、且つその上にレンチキュラーレンズが配置された複数の壁材が組み合わされて形成される壁面を装飾する方法であって、
複数の原画を原画記憶手段に記憶させ、
前記原画記憶手段に記憶されている前記原画を、前記レンチキュラーレンズを通して見ると前記複数の原画の各一部の画像が切り替わって見える画像となるように、
前記建築壁材のサイズ及び／又は形状と印刷対象の建築壁材の枚数又は壁画のサイズを入力し、
入力した前記建築壁材の形状及びサイズと、前記建築壁材の枚数又は壁画のサイズと、前記原画の解像度及び縦横比とに基づいて、画像の分割位置を算出し、
前記分割位置算出手段が算出した位置で画像を分割し、
前記画像処理手段が加工した画像を印刷する壁面を形成する前記建築壁材の形状及び大きさと、横方向又は縦方向のうちの一方の該建築壁材の枚数と、を入力し、
入力した情報に基づいて、印刷対象の壁面の横方向又は縦方向のうちの他方の該建築壁材の枚数と、前記画像の分割位置を算出し、
各壁材に、前記複数の壁材に表示される画像が組み合わされて１つの有意な画像を形成する部分画像を配置する、ことを特徴とする。
この構成によれば、容易に画像を分割することができる。
【００２２】
また、本発明の第７の観点に係る記録媒体は、
コンピュータを、
壁面装飾用の複数の原画を記憶する原画記憶手段、
印刷対象となった前記複数の原画の識別情報と、壁材のサイズと、壁材の枚数または壁画のサイズとからなる印刷情報に識別コードを付して前記印刷情報を記録する印刷情報記録手段と、前記識別コードを印刷対象の画像に含ませる手段と、を含み、前記原画記憶手段に記憶されている原画を、レンチキュラーレンズを通してみると前記複数の原画の各一部の画像が切り替わって見える画像と加工する画像処理手段、
前記画像処理手段により加工され、前記識別コードを含んだ画像を建築壁材に印刷するために出力する出力手段、
として機能させるためのプログラムを記録したコンピュータにより読取可能なものである。
印刷情報と識別コードを対応付けてデータベース等の印刷情報記録手段に記録し、識別コードを建築壁材に印刷しておくことにより、例えば、破損した建築壁材から識別コードを読み取り、この識別コードで印刷情報を検索することにより、原画や印刷条件を判別し、その建築壁材を容易に再生産することができる。識別コードは、通常の文字・数字、バーコード、二次元コード等でもよく、また、レンチキュラーレンズを介して特定の角度から見た場合のみ認識できるような画像でもよい。
また、本発明の第８の観点に係る記録媒体は、
コンピュータを、
壁面装飾用の複数の原画を記憶する原画記憶手段、
前記建築壁材のサイズ及び／又は形状と印刷対象の建築壁材の枚数又は壁画のサイズを入力する壁材情報入力手段と、前記壁材情報入力手段が入力した前記建築壁材の形状及びサイズと前記建築壁材の枚数又は壁画のサイズと前記原画の解像度及び縦横比とに基づいて、画像の分割位置を算出する分割位置算出手段と、前記分割位置算出手段が算出した位置で画像を分割する画像分割手段と、印刷を行う前記分割位置を入力する印刷位置入力手段と、を含み、前記原画記憶手段に記憶されている原画を、レンチキュラーレンズを通して見ると前記複数の原画の各一部の画像が切り替わって見える画像に加工する画像処理手段、
前記画像処理手段が加工した画像を印刷する壁面を形成する前記建築壁材の形状及び大きさと、並びに横方向又は縦方向のうちの一方の該建築壁材の枚数と、前記壁材情報入力手段が入力した情報に基づいて、印刷対象の壁面の横方向又は縦方向のうちの他方の該建築壁材の枚数と、前記画像の分割位置を算出する手段、
前記画像処理手段により加工された画像を建築壁材に印刷するために出力する出力手段、
として機能させるためのプログラムを記録したコンピュータにより読取可能なものである。
この構成によれば、容易に画像を分割することができる。
【００２３】
【発明の実施の形態】
本発明の実施の形態にかかる壁材用画像印刷システムについて以下図面を参照して説明する。
【００２４】
本発明の壁材用画像印刷システムは、図１に示すように、入力部１と、画像入力部２と、画像メモリ４と、制御回路５と、表示部６と、フレームメモリ７と、タイルプリンタ８とから構成される。
【００２５】
入力部１は各種指示及びデータを入力する。
【００２６】
画像入力部２は、タイル等の建築壁材に印刷するための画像データを入力して制御回路５に供給する。
【００２７】
画像メモリ４は、画像入力部２から入力された画像データをＹ、Ｍ、Ｃの各色成分に分けて格納すると共に制御回路５の作業領域として機能する。
【００２８】
制御回路５は、ＭＰＵ（マイクロプロセッサユニット）、ＤＳＰ（ディジタルシグナルプロセッサ）等から構成され、所定のプログラムに従って動作し、後述する画像入力処理、画像合成処理、印刷制御等を実行する。
制御回路５が実行する制御動作の内容については後述する。
【００２９】
表示部６は、ＣＲＴ、液晶表示素子等から構成され、制御回路５の制御に従って、メニュー画面や、画像入力部２が入力した画像等を表示する。
【００３０】
フレームメモリ７は、図２に示す複数のタイル１１の表面上に印刷される１つの画像のＹ、Ｍ、Ｃの各色の画像データを記憶する。なお、図２においては、横５枚＊縦５枚＝２５枚のタイル１１の表面に１つの画像が印刷されている。
【００３１】
タイルプリンタ８は、制御回路５の制御に従って、フレームメモリ７に展開されている画像を印刷する。
【００３２】
タイルプリンタ８は、例えば、未焼成のタイルの表面を電気的に中性化する手段と、金属イオン水溶液よりなる液体顔料を中性化したタイルの表面にインクジェットノズルにより噴射する手段と、を備える。タイルプリンタ８から噴射された液体顔料がタイル１１に浸透した後に、そのタイル１１を焼成すると、その顔料が発色して、画像が浮かび上がる。
【００３３】
次に、上記構成を有する壁材用画像印刷システムの動作を、図３〜図９を参照して説明する。
【００３４】
壁体作成者は、入力部１を操作して、タイル１１の表面に印刷する原画を選択するための原画選択処理を指示する。この指示に応答して、制御回路５は、画像メモリ４に格納されている複数の画像データのリストを表示する。壁体作成者は、表示されたリストの中から、印刷対象とする画像データ（原画）を複数枚選択する（ステップＳ１）。原画の解像度及び縦横比は任意である。
【００３５】
次に、入力部１を操作して、印刷対象のタイル１１の形状及び大きさを入力する（ステップＳ２）。さらに、原画選択ボタンにより選択された画像データの画像（原画）を図２に示すように分割して、各タイル１１に表示させるために、印刷対象物とされるタイル１１の枚数を指定する（ステップＳ３）。
制御回路５は、入力されたタイル１１の形状及び大きさ、及びタイル１１の枚数をセーブする。
【００３６】
制御回路５は、タイル１１の横方向の枚数（又は縦方向の枚数）から、そのタイル１１の縦方向の枚数（又は横方向の枚数）を、例えば、数式１を用いて計算してもよい。
【００３７】
【数１】
Ｔｎh＝ｈ１／（（ｗ１／Ｔｎw）＊（Ｔh／Ｔw））
ここで、ｗ１は、原画の横方向の画素数、ｈ１は、原画の縦方向の画素数、Ｔwは、タイル１１の横方向の長さ、Ｔhは、タイル１１の縦方向の長さ、Ｔｎwは、原画を表すために用いるタイル１１の横方向の枚数、Ｔｎhは、原画を現すために用いるタイル１１の縦方向の枚数である。
【００３８】
例えば、原画の横方向の画素の数を６４０、縦方向の画素の数を４８０、タイル１１のサイズを横２０ｃｍ＊縦１５ｃｍ、横方向のタイル枚数を５枚とすると、縦方向のタイル枚数（Ｔｎh）は、Ｔｎｈ＝４８０／（（６４０／５）＊（１５／２０））＝（４／３）＊５＊（３／４）＝５枚となる。
【００３９】
また、タイル１１の枚数を入力する代わりに、図２に示すような複数のタイル１１で構成する壁画のサイズを入力するものとしてもよい。この場合、その壁画のサイズをタイル１１のサイズで除して、タイル１１の必要枚数を算出できる。
【００４０】
制御回路５は、図２に示すように、表示部６に表示されている原画像にタイルの画像を合成して表示する。
【００４１】
その後、入力部１より、印刷したい範囲を指定する（ステップＳ４）。例えば、図２に示すように、原画の画像データの全体がタイル符号（Ｘ１，Ｙ１）からタイル符号（Ｘ５，Ｙ５）の２５枚のタイル１１の表面上に印刷されるとすると、例えば、原画全体を印刷する場合は、タイル符号（Ｘ１，Ｙ１）からタイル符号（Ｘ５，Ｙ５）を、印刷範囲として指定する。また、原画の画像データのうちのタイル符号（Ｘ２，Ｙ２）、（Ｘ３，Ｙ２）、（Ｘ４，Ｙ２）の範囲のみを印刷する場合は、それらのタイル符号を指定する。
【００４２】
その後、制御回路５は、ステップＳ１からステップＳ４の処理に基づいて、複数の原画のそれぞれについて、印刷対象の各タイル１１に印刷されるべき画像データをフレームメモリ７に送り、印刷用の画像を合成して（ステップＳ５）、タイル１１に印刷する（ステップＳ６）。
【００４３】
この印刷対象画像の合成及び印刷動作を説明する。
【００４４】
例えば、図４に示すように、原画の原点（左上端）の座標（ｘ，ｙ）を（０，０）とすると、タイル符号（ｒ，ｃ）のタイル１１に対しては、
座標（（ｃ-１）＊ｗ１／Ｔｎｗ，（ｒ-１）＊ｈ１／Ｔｎｈ）と、
座標（（ｃ＊ｗ１／Ｔｎｗ-１，ｒ＊ｈ１／Ｔｎｈ-１）とで
規定される矩形領域の画素が、１枚のタイル１１の印刷対象画像となる。
ここで、ｗ１は原画の横方向の画素数、ｈ１は原画の縦方向の画素数、Ｔｎｗは原画（全体）を表示するために用いるタイル１１の横方向の枚数、Ｔｎｈは原画（全体）を表示するために用いるタイル１１の縦方向の枚数である。
【００４５】
例えば、印刷対象とするタイル１１をタイル符号（２，２）とし、ｗ１を６４０、ｈ１を４８０、ＴｎｗとＴｎｈとを５とすると、座標（（２-１）＊６４０／５，（２-１）＊４８０／５）＝（１２８，９６）と、座標（（２＊６４０／５，２＊４８０／５）＝（２５６，１９２）で規定され、図４の斜線で示される矩形領域内の画素が印刷対象となる。
【００４６】
制御回路５は、原画における印刷対象となる領域を上述のようにして算出し、その領域の画像をタイル１１の実際のサイズに合わせて適宜拡大又は縮小する。そして、制御回路５は、図５に示すように、各タイル１１の表面に貼るレンチキュラーレンズ１２の特性に合わせて、その拡大又は縮小した画像をスリット化して、タイル１１の表面に印刷して画像１３を描画する。
【００４７】
ここで、レンチキュラーレンズ１２を用いた動画は、動画を構成する各コマの画像、例えば、図６（ａ）〜（ｃ）に示す原画像を、図６（ｄ）〜（ｆ）に示すようにストライプ状に切り出して、図６（ｇ）に示すように規則的に配列することにより形成される。
【００４８】
この動画作成処理の詳細を図７、図８、図９を参照して説明する。
画像メモリ４には、図７に示すように、第１の原画の印刷対象部分のＹ、Ｍ、Ｃ成分の画像データＹ１、Ｍ１、Ｃ１の組、第２の原画のＹ、Ｍ、Ｃ成分の画像データＹ２、Ｍ２、Ｃ２の組、第３の原画のＹ、Ｍ、Ｃ成分の画像データＹ３、Ｍ３、Ｃ３の組、がそれぞれ格納されているものとする。
【００４９】
まず、制御回路５は、Ｙ色成分を動画作成するため、元の画像Ｙ１〜Ｙ３から切り出すストライプの番号を表すポインタｉに初期値１をセットする。さらに、画像メモリ４上に、Ｙ成分の動画Ｙａの画像作成領域を確保する（図８、ステップＳ２１）。
【００５０】
制御回路５は、画像メモリ４に格納された画像データＹ１から、第ｉ番目のストライプ状画像Ｙ１ｉを切り出す（ステップＳ２２）。
このストライプＹ１ｉは、図９（ａ）に示すように、画像データＹ１のＸ軸座標が（ｉ・ｎ−ｂ）から（ｉ・ｎ）まで、Ｙ軸座標が０からＫまでの領域の画素から構成される画像である。
【００５１】
ここで、ｎは、レンチキュラーレンズの円柱レンズの径に相当する画素数であり、レンチキュラーレンズの径をＤインチ、画像の解像度をｄドット／インチとすると、Ｄ・ｄで表される。また、ｂはｂ≦ｎ／３を満たす値であり、ストライプ状画像の幅に相当する。また、Ｋは画像のＹ軸方向のサイズ（ドット数）を示す。
【００５２】
制御回路５は、切り出したストライプ状の画像を、図９（ｂ）に示すように、画像メモリ４上の画像Ｙａ形成領域の、Ｘ軸方向に（（ｉ−１）・ｎ＋（ｎ−３・ｂ）／６）から（（ｉ−１）・ｎ＋（ｎ−３・ｂ）／６＋ｂ）まで、即ち、（（ｎ−３ｂ）／６）から（（ｎ＋３ｂ）／６）まで、Ｙ軸方向に０からＫまでの領域に書き込む（展開する）（ステップＳ２３）。
【００５３】
次に、制御回路５は、画像メモリ４に格納された画像データＹ２から第ｉ番目のストライプ状画像Ｙ２ｉを切り出す（ステップＳ２４）。切り出し位置は、画像Ｙ１の第ｉ番目のストライプの切り出し位置と相対的に同一であり、図９（ａ）に示すように、画像データＹ２のＸ軸座標が（ｉ・ｎ−ｂ）から（ｉ・ｎ）まで、Ｙ軸座標が０からＫまでの位置である。
【００５４】
制御回路５は、切り出したストライプ状画像Ｙ２ｉを画像Ｙａ形成領域内のＸ軸座標が（（ｉ−１）・ｎ＋（ｎ−３・ｂ）／６＋ｂ＋（ｎ−３・ｂ）／３）から（（ｉ−１）・ｎ＋（ｎ−３・ｂ）／６＋ｂ＋（ｎ−３・ｂ）／３＋ｂ）まで、即ち、（（ｎ−ｂ）／２）から（（ｎ＋ｂ）／２）まで、Ｙ軸座標が０からＫまでの領域に書き込む（ステップＳ２５）。
【００５５】
次に、制御回路５は、画像メモリ４に格納された画像データＹ３の第ｉ番目のストライプ状画像Ｙ３ｉを切り出す（ステップＳ２６）。切り出し位置は、画像Ｙ１及びＹ２の第ｉ番目のストライプ状画像の切り出し位置と相対的に同一であり、図９（ａ）に示すように、画像データＹ３のＸ軸座標が（ｉ・ｎ−ｂ）から（ｉ・ｎ）まで、Ｙ軸座標が０からＫまでの位置である。
【００５６】
制御回路５は、切り出したストライプ状画像のデータを画像Ｙａ形成領域のＸ軸座標が（（ｉ・ｎ−（ｎ−３・ｂ）／６−ｂ）から（（ｉ・ｎ−（ｎ−３・ｂ）／６）まで、即ち、（（５ｎ−３ｂ）／６）から（（５ｎ＋３ｂ）／６）まで、Ｙ軸座標が０からＫの領域に書き込む（ステップＳ２７）。
【００５７】
次に、制御回路５は、ポインタｉの値が、予め定められた各画像のストライプ状画像の切り出し回数Ｎに達しているか否かを判別する（ステップＳ２８）。達していないと判断された場合、ポインタｉに１を加え（ステップＳ２９）、ステップＳ２２にリターンし、画像Ｙ１、Ｙ２、Ｙ３から次のストライプ状画像を切り出して、画像作成領域に書き込む動作を繰り返す（ステップＳ２２〜Ｓ２８）。
【００５８】
ストライプ画像の切り出し及び書き込み動作がＮ回繰り返されて、画像作成領域に図９（ｂ）に示すような、画像Ｙ１〜Ｙ３のストライプ状画像が順番に配列された画像が完成すると、ステップＳ２８で、ポインタｉの値が基準値Ｎに達したと判別され、フローは、ステップＳ３０に進む。
【００５９】
ステップＳ３０では、Ｍ色成分の画像Ｍ１〜Ｍ３について、同様の画像処理を行い、Ｍ色成分の動画Ｍａを作成する。画像Ｍ１〜Ｍ３からの画像の切り出し位置、及び、画像Ｍａへの書き込み位置については、Ｙ１〜Ｙ３及びＹａについての処理と同一である。
【００６０】
Ｍ色成分の動画Ｍａが完成すると、制御回路５は、Ｃ色成分の画像Ｃ１〜Ｃ３について、同様の画像処理を行い、Ｃ色成分の動画Ｃａを作成する（ステップＳ３１）。
Ｃ色成分の動画Ｃａが完成すると、タイル１枚分の動画作成処理は終了する。
【００６１】
動画作成処理で作成されたＹａ，Ｍａ，Ｃａの各画像は、それぞれ、制御回路５により、フレームメモリ７に送られる。
【００６２】
制御回路５は、フレームメモリ７に格納されている印刷対象の画像データＹａをタイルプリンタ８に順次供給する。タイルプリンタ８は、フレームメモリ７から供給された画像データＹａをＹの液体顔料を用いてタイル１１の表面に印刷する。
【００６３】
制御回路５は、画像Ｙａの印刷が終了すると、印刷色切換制御信号をタイルプリンタ８に供給すると共にフレームメモリ７に格納されている印刷対象の画像データＭａをタイルプリンタ８に順次供給する。タイルプリンタ８は、印刷色切換制御信号に従って印刷に使用する液体顔料をＭに切り換え、制御回路５から供給された画像データＭａをＭの液体顔料を用い、既に印刷されているタイル１１の表面上にＹａの画像に重ねて印刷する。
【００６４】
制御回路５は、画像Ｍａの印刷が終了すると、印刷色切換制御信号をタイルプリンタ８に供給すると共にフレームメモリ７に格納されている印刷対象の画像データＣａをタイルプリンタ８に順次供給する。タイルプリンタ８は、印刷色切換制御信号に従って印刷に使用する液体顔料をＣに切り換え、制御回路５から供給された画像データＣａをＣの液体顔料を用い、既に印刷されているタイル１１の上にＹａとＭａの画像に重ねて印刷し、印刷処理を完了する。
【００６５】
これらにより、この壁材用画像印刷システムは、図６に示すように、複数の原画から切り出したストライプ状画像を規則的に配列させて、タイル１１の表面に印刷することができる。
【００６６】
このタイル１１の表面上に、図５に示すようにレンチキュラーレンズ１２を貼り付けることにより、そのタイル１１を複数の位置から見ると、そのタイル１１の表面上の画像１３を動画として見ることができる。
【００６７】
更に、図５に示すように画像１３が印刷されたタイル１１を複数用いて、図２に示すような壁画を構成し、その壁画を動画として見ることができる。従って、この壁材用画像印刷システムは、面白味のあるタイル等の建築壁材を作成することができる。
【００６８】
また、この壁材用画像印刷システムは、原画全体のうちの任意の領域のみを指定して、その指定した領域のみをタイル表面に印刷することができる。従って、タイルを複数用いた壁画において、一部のタイルが破損した場合等に、その破損したタイルのみを容易に再生産することができる。
【００６９】
また、この壁材用画像印刷システムは、画像入力部２が取り込んだ任意の原画を任意のサイズのタイル１１に印刷することができるので、建築壁材の多品種少量生産に適している。
【００７０】
なお、上記実施の形態においては、各原画像のうち、１枚のタイル１１に印刷すべき部分を切り出して、切り出した各部分画像同士をストライプ状に切り出して合成したが、例えば、はじめに、原画像の全体同士をストライプ状に切り出して合成してから、印刷対象のタイル１１に印刷する部分を抽出して印刷してもよい。
【００７１】
この場合、制御回路５は、複数の原画像（全体）を対象として、図８及び図９を参照して説明したように、レンチキュラーレンズ１２の径に応じた幅で、原画像をストライプ状に切り出して、配列することにより、印刷対象（合成）画像全体を作成し、フレームメモリ７にＹ、Ｍ、Ｃ別に展開する。
次に、縦方向及び横方向のタイルサイズ及び数（又は、壁面全体の縦横のサイズ）を入力部１から入力する。制御回路５は、合成された画像がタイル１１の全体（即ち、壁面全体）に印刷されるように合成画像を拡大又は縮小する。
次に、印刷したい画像範囲（タイルの位置）を指定し、この位置に対応する画素の画素データを読み出して、タイルプリンタ８に供給し、タイル１１に印刷する。
【００７２】
即ち、この発明は、原画像をタイル１１単位のサイズに分割して、分割された各画像の対応するもの同士をレンチキュラーレンズ１２用に合成して、印刷してもよく、或いは、原画像（全体）をレンチキュラーレンズ１２用に合成し、その後各タイル１１に対応する部分を抽出して印刷してもよい。
【００７３】
また、上述の実施形態では、印刷対象物の建築壁材としてタイルを用いているが、この発明はこれに限定されるものではなく、例えば、壁材用のパネル等を印刷対象物としてもよい。
【００７４】
また、この発明の印刷対象物とするタイル又はパネル等の建築壁材は陶磁性のものが耐候性に優れるが、室内用として樹脂性のタイル又はパネルを印刷対象物としてもよい。
【００７５】
図２に示すように、原画を複数に分割し、分割した各画像をそれぞれタイル１１の表面上に印刷して壁画を構成させる場合に、分割された各画像の分割位置を示す符号を、通常は観察されない角度（例えば、そのタイルに水平に近い角度）からレンチキュラーレンズ１２を通して見たときだけ、その符号が見える画像として、各分割画像に含ませて、各タイル１１の表面に印刷してもよい。
【００７６】
同様に、合成に使用している原画の識別情報、各タイルのサイズ、形状、壁材の枚数又は壁画の全体のサイズ等の印刷情報に識別コードを付して、印刷情報をデータベース等の記録部に記録し、この識別コード（を示す画像）を各タイル１１に印刷してもよい。
【００７７】
この構成によれば、複数のタイル１１を用いて１つの壁画を構成したときに、その壁画を構成する複数のタイル１１のうちの一部にキズ等ができり、破損した場合に、そのタイル１１から識別コードを読み取り、この識別コードからデータベースを検索して印刷情報を読み取って、印刷されている原画や印刷条件を判別し、そのタイル１１を容易に再生産することができ、その壁画のメンテナンスを容易にすることができる。
【００７８】
各符号や、識別コードは、数字、文字、記号等でも、バーコード、二次元コードなどでもよい。
【００７９】
入力部１は、例えば、ディジタルスチルカメラなどを備え、画像を取り込めるものとしてもよい。また、通信コネクタ等を備え、通信でネットワーク上の画像データを取り込んだり、ディジタルスチルカメラで取得した画像を読み込んだりできるようにしてもよい。
【００８０】
以上説明したように、この発明によれば、レンチキュラーレンズを通して見ると、画像が動いているように見える建築壁材を作成する壁材用画像印刷システム、壁面装飾方法及び記録媒体を提供できる。
【図面の簡単な説明】
【図１】本発明の実施の形態に係る壁材用画像印刷システムを示す図である。
【図２】複数のタイルの表面上に印刷された画像の一例を示す図である。
【図３】図１に示す壁材用画像印刷システムの動作を示すフローチャートである。
【図４】原画における印刷対象とする領域を示す図である。
【図５】図１に示す壁材用画像印刷システムで画像が印刷されたタイルに、レンチキュラーレンズを重ねた状態を示す図である。
【図６】図１に示す壁材用画像印刷システムで行われる画像処理を説明するための図である。
【図７】画像メモリに格納されている画像を示す図である。
【図８】図１に示す壁材用画像印刷システムで行われる処理を説明するためのフローチャートである。
【図９】（ａ）は、動画となる画像を印刷するための、原画像の切り出し方法を説明するための図である。
（ｂ）は、切り出したストライプ状画像の貼り付け方法を説明するための図である。
【符号の説明】
１    入力部
２    画像入力部
４    画像メモリ
５    制御回路
６    表示部
７    フレームメモリ
８    タイルプリンタ
１１  タイル
１２  レンチキュラーレンズ
１３  画像
【図１】
0004532611.tif 000002
【図２】
0004532611.tif 000003
【図３】
0004532611.tif 000004
【図４】
0004532611.tif 000005
【図５】
0004532611.tif 000006
【図６】
0004532611.tif 000007
【図７】
0004532611.tif 000008
【図８】
0004532611.tif 000009
【図９】
0004532611.tif 000010